(57)【要約】【課題】本発明は、発泡シートよりなる特殊な構造の充填材を使用し、また、通気性の少ない布地により側地を構成すると共にキルティングを施すことにより、清潔で埃が発生せず、しかも、寝心地の優れた敷き用寝具の提供を目的とするものである。【解決手段】本発明に係る敷き用寝具Ａは、充填材とその充填材を覆い包む側地とからなり、キルティングを施した敷き用寝具において、そのキルティングａ１〜ａ４、ｂ１〜ｂ１０を縦中央線及び横中央線からそれぞれ外方に膨らむ湾曲線となるように施し、側地Ｃは通気性の少ない布地であり、充填材Ｂは、凹凸を有する扁平な２枚の発泡体１０、２０と、隣接する各発泡シート３１を部分的に連結してなる細幅の発泡シートの束が上下に積み重なって絡合されてなるクッション体３０とからなり、クッション体の表裏に発泡体をその凹凸面１１、２１が外側になるように積層して構成したものである。【選択図】        図１
2004154193.tif 000002
【特許請求の範囲】
【請求項１】
充填材とその充填材を覆い包む側地とからなり、キルティングを施した敷き用寝具において、そのキルティングを曲線となるように施したことを特徴とする敷き用寝具。
【請求項２】
充填材とその充填材を覆い包む側地とからなり、キルティングを施した敷き用寝具において、そのキルティングを当該寝具の縦中央線及び横中央線からそれぞれ外方に膨らむ湾曲線となるように施したことを特徴とする敷き用寝具。
【請求項３】
側地が通気性の少ない布地であることを特徴とする請求項１又は２に記載の敷き用寝具。
【請求項４】
充填材とその充填材を覆い包む側地とからなる敷き用寝具において、充填材が、凹凸を有する扁平な２枚の発泡体と、隣接する各発泡シートを部分的に連結してなる細幅の発泡シートの束が上下に積み重なって絡合されてなるクッション体とからなり、クッション体の表裏に発泡体を積層して構成したことを特徴とする敷き用寝具。
【請求項５】
クッション体の表裏に発泡体をその凹凸面が外側になるように積層して構成したことを特徴とする請求項４に記載の敷き用寝具。
【発明の詳細な説明】
【０００１】
【発明の属する技術分野】
本発明は、敷き用寝具に関し、敷き布団としてのみならず薄い敷き布団や敷きパッドを上に敷いて使用することができる敷き用寝具に関する。
【０００２】
【従来の技術】
従来の敷き布団としては、羊毛布団や綿布団が一般に使用されており、また、マットレスの上にこのような敷き布団を敷いて使用されている。
【０００３】
【発明が解決しようとする課題】
しかしながら、上記従来の敷き布団は、使用の際の圧縮及び復元作用により内部の充填材を構成する繊維が側地を通過することにより埃となり、また、このような敷き布団は嵩が高く、かつ、一旦湿潤すると容易に乾かすことができないので、家庭で洗濯することができないのが現状である。したがって、従来の敷き布団は衛生面で少なからず問題があった。
【０００４】
そこで本発明者は、上記の問題点に鑑み、鋭意研究を重ねた結果、発泡材よりなる特殊な構造の充填材を使用し、また、通気性の少ない布地により側地を構成すると共にキルティングを施すことにより、清潔で埃が発生せず、しかも、寝心地の優れた敷き用寝具を開発した。
【０００５】
【課題を解決するための手段】
本発明に係る敷き用寝具は、充填材とその充填材を覆い包む側地とからなり、キルティングを施した敷き用寝具において、そのキルティングを曲線、その一例として当該寝具の縦中央線及び横中央線からそれぞれ外方に膨らむ湾曲線となるように施したものである。
【０００６】
このようにキルティングを施したことにより、例えば当該寝具の縦中央線及び横中央線からそれぞれ外方に膨らむ湾曲線となるように施した場合には、敷き用寝具の中心から外方側に向かうに従ってキルティングにより囲まれる面積が小さくなるため、敷き用寝具の中心部より外方側の部分が硬くなる。
【０００７】
また、上記の構成に加え、側地が通気性の少ない布地である場合には、当該寝具を圧縮した場合の内部の空気は主にキルティングの縫い目を通じて外部に流出することとなり、また、圧縮から元の状態に復元する場合の空気も主にキルティングの縫い目を通じて外部から流入することとなるので、圧縮速度及び復元速度が緩やかになる。
【０００８】
さらに、本発明に係る敷き用寝具を、充填材とその充填材を覆い包む側地とからなる敷き用寝具において、充填材が、凹凸を有する扁平な２枚の発泡体と、隣接する各発泡シートを部分的に連結してなる細幅の発泡シートの束が上下に積み重なって絡合されてなるクッション体とからなり、クッション体の表裏に発泡体を積層して構成してもよい。なお、その一例としてクッション体の表裏に発泡体をその凹凸面が外側になるように積層して構成してもよい。
【０００９】
このように構成すると、表部発泡体の凹凸が身体に凹凸感を与え、表部発泡体の凹凸面が外側になるように積層した場合には凹凸面が身体と接触する。また、表部発泡体及び裏部発泡体の凹凸面が空気の流通性を向上させ、さらに、中間部のクッション体は空隙率が高いためにクッション性及び嵩高性を向上させると共に、空気の流通性をより一層向上させる。しかも、表部発泡体と裏部発泡体が扁平であり、中間のクッション体がクッション性に優れるので、嵩高くても折り曲げ及び折り畳みが容易であり、取り扱いやすい利点がある。また、充填材に繊維を使用していないので、繊維が側地から敷き用寝具の外部へ出ることがない。さらに、充填材が折り曲げ及び折り畳みが容易な発泡材であるため、湿潤しても水分を絞り出すことが可能であり、乾かすことが可能となる。
【００１０】
【発明の実施の形態】
以下に本発明の好適な実施例を添付の図面に基づいて詳細に説明する。
【００１１】
図１は本実施例に係る敷き用寝具の全体斜視図であり、図２は敷き用寝具の縦方向の一部拡大断面図であり、図３は敷き用寝具の横方向一部拡大断面図であり、図４は敷き用寝具の平面図であり、図５は敷き用寝具を圧縮した場合の空気の流出状態を示す一部概略断面図であり、図６は図５の状態から圧縮力を取り除いた復元状態における空気の流入状態を示す一部概略断面図であり、図７は充填材を構成する発泡体の部分斜視図であり、図８は充填材を構成するクッション体の部分斜視図であり、図９は充填材の積層構造を示す部分斜視図である。
【００１２】
図１においてＡは本実施例に係る敷き用寝具を示しており、該敷き用寝具Ａは図２及び図３に示すように、後述する充填材Ｂとこの充填材Ｂを覆い包む側地Ｃとから構成されている。
【００１３】
当該敷き用寝具Ａには、図１及び図４に示すように側地Ｃの表面から裏面に達するキルティングが縦方向に４本（ａ１〜ａ４）、横方向に１０本（ｂ１〜ｂ１０）施されている。縦方向のキルティングａ１〜ａ４は敷き用寝具Ａの中心線ａ’を基準として左右外方側に膨らむ線対称の湾曲線をなすように施されている。また、横方向のキルティングｂ１〜ｂ１０は敷き用寝具Ａの中心線ｂ’を基準にして上下外方側に膨らむ線対称の湾曲線をなすように施されている。
【００１４】
このようにキルティングａ１〜ａ４、ｂ１〜ｂ１０を施したことにより、敷き用寝具の中心から外方側に向かうに従ってキルティングにより囲まれる面積が小さくなる。例えば、図４に示すように、各キルティングａ１〜ａ４、ｂ１〜ｂ１０にて囲まれる部分及びその面積をｃ１〜ｃ９、ｄ１〜ｄ９、ｅ１〜ｅ９とすると、各部分の面積の大小関係は、ｃ５＞ｃ４＝ｃ６＞ｃ３＝ｃ７＞ｃ２＝ｃ８＞ｃ１＝ｃ９のようになり、また、ｄ５＞ｄ４＝ｄ６＞ｄ３＝ｄ７＞ｄ２＝ｄ８＞ｄ１＝ｄ９のようになり、さらにｅ５＞ｅ４＝ｅ６＞ｅ３＝ｅ７＞ｅ２＝ｅ８＞ｅ１＝ｅ９のようになる。このように敷き用寝具Ａの中心部より外方側の部分の面積が小さくなり、その分だけ圧縮に対して充填材の水平方向の広がりが制限されるので、面積が大きい部分よりも硬くなる。
【００１５】
通常、就寝する際は、敷き用寝具の中央部で仰臥状態となり、寝返りを打つと敷き用寝具の外方側で横臥状態となるので、本実施例の敷き用寝具のように中央部を柔らかく、外方側を硬くなるように構成すると体圧分散性が向上し寝心地が良くなる利点がある。
【００１６】
なお、キルティングの本数や間隔等は本実施例のものに限られるものではなく、適宜変更可能である。また、本実施例においては、敷き用寝具Ａの横方向両側部に寝具Ａの幅の１／８以上のキルティングを施していない部分を設けているが、これはキルティングを施した部分より若干嵩高くなるので、寝返りを打った際に敷き布団から外へ身体が出ないようにする機能を果たすと共に、掛け布団との密着性を高めて保温性を維持する機能を果たす。さらに敷き用寝具Ａの縦方向上下部に寝具Ａの長さの１／１２以上のキルティングを施していない部分を設けているが、これは身体の足部が位置する下部側において、掛け布団との密着性を高めて保温性を維持する機能を果たし、上部側にもキルティングを施していない部分を設けている理由は、寝具Ａの上下を逆にして使用することができるようにしたためである。
【００１７】
また、本実施例における敷き用寝具Ａにおける側地Ｃは通気性の少ない布地を使用しており、当該寝具Ａを圧縮した場合の内部の空気は、図５に示すように主にキルティングの縫い目ｆ１を通じて外部に流出することとなる。また、圧縮から元の状態に復元する場合の空気も、図６に示すように主にキルティングの縫い目ｆ２を通じて外部から流入することとなる。そのため、圧縮速度及び復元速度が緩やかになるので、圧縮に対しては寝具Ａが体を十分に支えながら緩やかに体が沈み込む。したがって、後述するように、クッション性が高く、空気流通性の優れた充填材Ｂを使用した場合に、寝返りを打ったときなどに急激に沈み込むことがなく、弾力感のある感触が得られるので、快適な寝心地が得られる。また、寝返りを打った後、元居た場所の圧縮された部分が急激に復元するようなことがないのでまとわり感がなく、適度なフィット性が得られるので寝心地が快適である。
【００１８】
さらに本実施例における敷き用寝具Ａの充填材Ｂは、図７に示す扁平な発泡体１０、２０と図８に示すクッション体３０とから構成される。これらの発泡体及び発泡シートはいずれもクッション性のある発泡材、例えばウレタン等で形成される。表部発泡体１０と裏部発泡体２０とは同一構造のもので、表部発泡体１０はその一方の面１１が凹凸を有し、他方の面１２はフラットな面になっており、裏部発泡体２０も同様にその一方の面２１が凹凸を有し、他方の面２２はフラットな面になっている。クッション体３０は、細幅の発泡シート３１の束が上下に積み重なって絡合されてなるもので、前記細幅シート３１の隣接する各細幅シートは部分的に連結している。そして、充填材Ｂは、図９に示すように、クッション体３０の表側に表部発泡体１０をその凹凸面１１が外側になるように、したがってフラットな面１２がクッション体３０に接するように積層し、クッション体３０の裏側に裏部発泡体２０をその凹凸面２１が外側になるように、したがってフラットな面２２がクッション体３０に接するように積層して構成されている。すなわち充填材Ｂの表裏が同一構造となるように構成されている。このように構成した理由の一つとして当該充填材Ｂを充填した敷き用寝具Ａが表裏関係なく使用できるようにしたためである。
【００１９】
このように構成すると、表部発泡体１０の凹凸面１１が身体と接触することとなって体圧分散性が良好となる。なお、表部発泡体１０の凹凸面１１を内側にしフラット面１２を外側にすれば、本実施例のように凹凸面が身体に直接接触することに較べて凹凸感が緩和される。また、表部発泡体１０及び裏部発泡体２０の凹凸面１１、２１が空気の流通性を向上させ、さらに、中間部のクッション体３０は細幅の発泡シート３１を束にして形成したものであり、空隙率が高いためにクッション性及び嵩高性を向上させると共に、空気の流通性をより一層向上させる。したがって、本実施例に係る敷き用寝具Ａは、体圧分散性に優れるので寝心地が良く、かつ、空気の流通性が良好であるため、充填材Ｂが吸湿性に優れていても湿気が発散されるので、乾燥状態が維持でき、快適な寝環境が得られる。しかも、従来のマットレスは、嵩高い上に折り曲げ及び折り畳みが容易でないため、取り扱いが不便であったが、本実施例の敷き用寝具Ａは、表部発泡体１０及び裏部発泡体２０が扁平であり、中間部のクッション体３０のクッション性が優れるので、嵩高くても折り曲げ及び折り畳みが容易であり、取り扱いやすい利点がある。また、充填材Ｂがウレタン製であり、繊維を使用していないので、従来の敷き布団のように繊維が側地Ｃから敷き用寝具Ａの外部へ出ることがなく、したがって埃が発生することがない。さらに、充填材Ｂが折り曲げ及び折り畳みが容易なウレタンを使用しているため、湿潤しても水分を絞り出すことが可能であり、乾かすことができるので、家庭においても洗濯することができ、衛生的である。
【００２０】
上記の実施例においては、発泡体１０、２０及びクッション体３０としてウレタン製のものを使用しているが、これに限られるものではなく、折り曲げ及び、折り畳みが容易であり、クッション性に優れたものであればよい。
【００２１】
なお、本発明は、上記の実施例の構成に限定されるものではなく、特許請求の範囲の記載を逸脱しない広範囲の実施形態を包含するものである。
【００２２】
【発明の効果】
本発明に係る敷き用寝具は、充填材とその充填材を覆い包む側地とからなり、キルティングを施した敷き用寝具において、そのキルティングを、その一例として当該寝具の縦中央線及び横中央線からそれぞれ外方に膨らむ湾曲線となるように施したものであるから、例えば当該寝具の縦中央線及び横中央線からそれぞれ外方に膨らむ湾曲線となるように施した場合には、敷き用寝具の中心から外方側に向かうに従ってキルティングにより囲まれる面積が小さくなるため、敷き用寝具の中心部より外方側の部分が硬くなる。通常、敷き用寝具の中央部では、仰臥状態で就寝し、寝返りを打つと敷き用寝具の外方側で横臥状態となる。したがって、本発明の敷き用寝具のように中央部を柔らかく、外方側を硬くなるように構成すると体圧分散性が向上し寝心地が良くなる利点がある。
【００２３】
また、上記の構成に加え、側地が通気性の少ない布地である場合には、当該寝具を圧縮した場合の内部の空気は主にキルティングの縫い目を通じて外部に流出することとなり、また、圧縮から元の状態に復元する場合の空気も主にキルティングの縫い目を通じて外部から流入することとなるため、圧縮速度及び復元速度が緩やかになるので、圧縮に対しては寝具が体を十分に支えながら緩やかに体が沈み込む。したがって、クッション性が高く、空気流通性の優れた充填材を使用しても、寝返りを打ったときなどに急激に沈み込むことがなく、弾力感のある感触が得られるので、快適な寝心地が得られる。また、寝返りを打った後、元居た場所の圧縮された部分が急激に復元するようなことがないのでまとわり感がなく、適度なフィット性が得られるので寝心地が快適である。
【００２４】
さらに、本発明に係る敷き用寝具を、充填材とその充填材を覆い包む側地とからなる敷き用寝具において、充填材が、凹凸を有する扁平な２枚の発泡体と、隣接する各発泡シートを部分的に連結してなる細幅の発泡シートの束が上下に積み重なって絡合されてなるクッション体とからなり、クッション体の表裏に発泡体を積層して構成すると、表部発泡体の凹凸が身体に凹凸感を与え、また、凹凸面が外側になるように積層した場合には上部発泡体の凹凸面が身体と接触することとなって体圧分散性が良好となる。また、上部発泡体及び下部発泡体の凹凸面が空気の流通性を向上させ、さらに、中間部のクッション体は空隙率が高いためにクッション性及び嵩高性を向上させると共に、空気の流通性をより一層向上させる。したがって、本発明に係る敷き用寝具は、体圧分散性に優れるので寝心地が良く、かつ、空気の流通性が良好であるため、充填材が吸湿性に優れていても湿気が発散されるので、乾燥状態が維持でき、快適な寝環境が得られる。しかも、従来のマットレスは、嵩高い上に折り曲げ及び折り畳みが容易でないため、取り扱いが不便であったが、本発明の敷き用寝具は、表部発泡体及び裏部発泡体が扁平であり、中間部のクッション体がクッション性に優れるので、嵩高くても折り曲げ及び折り畳みが容易であり、取り扱いやすい利点がある。また、充填材に繊維を使用していないので、従来の敷き布団のように繊維が側地から敷き用寝具の外部へ出ることがなく、したがって埃が発生することがない。さらに、充填材が折り曲げ及び折り畳みが容易な発泡材であるため、湿潤しても水分を絞り出すことが可能であり、乾かすことができるので、家庭においても洗濯することが可能となり、衛生的である。
【図面の簡単な説明】
【図１】本実施例に係る敷き用寝具の全体斜視図である。
【図２】敷き用寝具の縦方向の一部拡大断面図である。
【図３】敷き用寝具の横方向一部拡大断面図である。
【図４】敷き用寝具の平面図である。
【図５】敷き用寝具を圧縮した場合の空気の流出状態を示す一部概略断面図である。
【図６】図５の状態から圧縮力を取り除いた復元状態における空気の流入状態を示す一部概略断面図である。
【図７】充填材を構成する発泡体の部分斜視図である。
【図８】充填材を構成するクッション体の部分斜視図である。
【図９】充填材の積層構造を示す部分斜視図である。
【符号の説明】
Ａ・・・敷き用寝具
Ｂ・・・充填材
Ｃ・・・側地
ａ’・・縦方向の中心線
ａ１〜ａ４・・縦方向のキルティング
ｂ’・・横方向の中心線
ｂ１〜ｂ１０・・横方向のキルティング
ｃ１〜ｃ９、ｄ１〜ｄ９、ｅ１〜ｅ９・・各キルティングによって囲まれる部分及び面積
ｆ１、ｆ２・・キルティング縫い目
１０・・表部発泡体
１１・・表部発泡体の凹凸面
１２・・表部発泡体のフラット面
２０・・裏部発泡体
２１・・裏部発泡体の凹凸面
２２・・裏部発泡体のフラット面
３０・・クッション体
３１・・細幅の発泡シート
【図１】
2004154193.tif 000003
【図２】
2004154193.tif 000004
【図３】
2004154193.tif 000005
【図４】
2004154193.tif 000006
【図５】
2004154193.tif 000007
【図６】
2004154193.tif 000008
【図７】
2004154193.tif 000009
【図８】
2004154193.tif 000010
【図９】
2004154193.tif 000011
【手続補正書】
【提出日】平成14年11月21日(2002.11.21)
【手続補正１】
【補正対象書類名】図面
【補正対象項目名】全図
【補正方法】変更
【補正の内容】
【図１】
2004154193.tif 000012
【図２】
2004154193.tif 000013
【図３】
2004154193.tif 000014
【図４】
2004154193.tif 000015
【図５】
2004154193.tif 000016
【図６】
2004154193.tif 000017
【図７】
2004154193.tif 000018
【図８】
2004154193.tif 000019
【図９】
2004154193.tif 000020